(57)【要約】【課題】従来のカード読取装置では、カード上に磁気ストライプが無い、例えばＩＣのみを搭載している非接触式ＩＣカードに対しては、シャッタの開閉制御が出来ない。【解決手段】カード挿入口に挿入されたカードに応じてカード走行路に設けたシャッタの開閉を制御し、カードを搬送手段によりシャッタより内部に取込可能に構成してなるカード読取装置で、カード挿入口でシャッタより前側に、非接触式ＩＣカードとデータの通信が可能なアンテナ部を設け、挿入されるカードとデータの通信を行い、カードが非接触式ＩＣカードであると判断されるとシャッタを開けるように制御する。【選択図】        図１
2007226340.tif 000002
【特許請求の範囲】
【請求項１】
カード挿入口に挿入されたカードに応じてカード走行路に設けたシャッタの開閉を制御し、前記カードをカード搬送手段により前記シャッタより内部に取込可能に構成してなるカード読取装置において、前記カード挿入口で前記シャッタの近傍に、非接触式ＩＣカードとデータの通信が可能なアンテナ部を設け、挿入されるカードとデータの通信を行い、前記カードが非接触式ＩＣカードと判断されると前記シャッタを開けるように制御することを特徴とするカード読取装置。
【請求項２】
前記アンテナ部が、前記シャッタより前側に設けられていることを特徴とする請求項１記載のカード読取装置。
【請求項３】
前記アンテナ部からポーリング信号を送信し、カード側から前記ポーリング信号に対する応答を受信したときに前記シャッタを開けるように制御することを特徴とする請求項１記載のカード読取装置。
【請求項４】
予め非接触式ＩＣカードと装置間で取扱可能なカードである旨の識別情報を非接触式ＩＣカード内に格納しておき、前記アンテナ部からポーリング信号を送信し、カード側から前記ポーリング信号に対する応答を受信したとき、前記識別情報の読み取りを行い、取扱可能な非接触式ＩＣカードと判断されると前記シャッタを開けるように制御することを特徴とする請求項３記載のカード読取装置。
【請求項５】
非接触式ＩＣカードに格納されている取引に必要な情報を、前記シャッタを開ける前に、非接触式ＩＣカードと前記アンテナ部との間で前記取引情報を通信することを特徴とする請求項４記載のカード読取装置。
【発明の詳細な説明】
【技術分野】
【０００１】
本発明は、金融機関等に設置されている自動取引装置に実装されるカード読取装置に関する。
【背景技術】
【０００２】
図７は従来の自動取引装置の構成を示す図である。主制御部２１には、顧客操作部２２、カード処理部２３、レシート処理部２４、通帳処理部２５、紙幣処理部２６、硬貨処理部２７、ジャーナル記録部２８、係員操作部２９及び記憶装置３０が接続されている。図８は従来の磁気カードと非接触式ＩＣカードを取扱可能なカード読取装置の構成を示している。カード読取装置は、カード挿入／排出口３１、カード３２の磁気ストライプの有無を検出する磁気ヘッド等のセンサ３３、カード以外の異物の挿入やいたずら防止及び装置内部と外部を遮断し防塵性を高めるために設けられているシャッタ３４、カード３２の磁気ストライプのデータを読み取りまたは書き込みする磁気ヘッド３５、非接触式ＩＣカードとデータを送受信する非接触式ＩＣカード用通信部３６、図示せぬアクチュエータにより駆動しカード３２を搬送させる搬送ローラ３７から構成されている。
【０００３】
図９は従来の自動取引装置の出金取引の一例を示すフローチャートである。顧客は、顧客操作部２２より取引科目「出金」を選択する（ステップ５１）。すると、顧客操作部２２は顧客に対しカード挿入の誘導を促し、顧客はカードを挿入する（ステップ５２）。カードが挿入されると、カードの磁気ストライプまたはＩＣに書き込まれているデータを、磁気ヘッド３５または非接触式ＩＣカード用通信部３６で読み取る（ステップ５３）。取扱可能なカードと判断されると、顧客に暗証番号を入力させて（ステップ５４）、希望する出金金額を入力させる（ステップ５５）。次に、取引に必要な顧客情報を格納しているホストコンピュータと通信し、暗証番号、出金金額等のデータを通知し、取引可否の応答を受信する（ステップ５６）。取引可能と判断されると、出金金額相当の紙幣を計数し（ステップ５７）、レシート印字し（ステップ５８）、レシートを排出する（ステップ５９）。次にカードを顧客に返却し（ステップ６０）、紙幣シャッタを開けることにより顧客が紙幣を受け取れる状態にする（ステップ６１）。顧客が紙幣を受け取ったら紙幣シャッタを閉めて（ステップ６２）、取引を終了する。
【０００４】
図１０は従来のカード挿入時のカード読取装置の制御を示すフローチャートである。カード読取装置は、カード挿入／排出口３１にカード３２が挿入されると、磁気ヘッド等のセンサ３３によりカード３２の磁気ストライプの有無を検出する（ステップ７１）。磁気ストライプ有りと検出されるとシャッタ３４を開けて（ステップ７２）、カード３２を装置内部へ取り込む（ステップ７３）。一方、磁気ストライプが検出されない場合は、最終的に取扱出来ないカードと判断されてカード挿入／排出口より排出される。
【０００５】
また、下記文献には、カードが磁気ストライプを持っているかどうかをセンサによってチェックし、シャッタの上昇を制御していることが開示されている。
【特許文献１】特開平９−２１８９６９号公報
【発明の開示】
【発明が解決しようとする課題】
【０００６】
しかしながら上述したカード読取装置では、カード上に磁気ストライプが無い、例えばＩＣのみを搭載しているカードに対しては、シャッタの開閉制御が出来ないという問題点があった。また、ＩＣのみを搭載しているカードに対応するために、磁気ストライプの有無の検知をせずにシャッタの開閉制御をするとなると、カード以外の異物挿入やいたずらの恐れも有り、ひいてはそのような行為により機器故障の可能性が高くなるという問題点もあった。
【０００７】
また、従来のカード読取装置では、カード上の磁気ストライプの有無という物理的な情報のみで取扱可能なカードか否かを判断しシャッタの開閉を制御していたので、カードを装置内部に取り込む前に、そのカードが当該装置で取扱可能な正規カードか否かの判断は出来ていないという問題点もあった。
【課題を解決するための手段】
【０００８】
上記課題を解決するために請求項１記載の本発明は、カード挿入口に挿入されたカードに応じてカード走行路に設けたシャッタの開閉を制御し、前記カードをカード搬送手段により前記シャッタより内部に取込可能に構成してなるカード読取装置において、前記カード挿入口で前記シャッタの近傍に、非接触式ＩＣカードとデータの通信が可能なアンテナ部を設け、挿入されるカードとデータの通信を行い、前記カードが非接触式ＩＣカードと判断されると前記シャッタを開けるように制御したものである。
【０００９】
請求項２記載の本発明では、前記アンテナ部が、前記シャッタより前側に設けられているものである。
【００１０】
また、請求項３記載の本発明では、前記アンテナ部からポーリング信号を送信し、カード側から前記ポーリング信号に対する応答を受信したときに前記シャッタを開けるように制御したものである。
【００１１】
更に、請求項４記載の本発明では、予め非接触式ＩＣカードと装置間で取扱可能なカードである旨の識別情報を非接触式ＩＣカード内に格納しておき、前記アンテナ部からポーリング信号を送信し、カード側から前記ポーリング信号に対する応答を受信したとき、前記識別情報の読み取りを行い、取扱可能な非接触式ＩＣカードと判断されると前記シャッタを開けるように制御したものである。
【００１２】
加えて、請求項５記載の本発明では、非接触式ＩＣカードに格納されている取引に必要な情報を、前記シャッタを開ける前に、非接触式ＩＣカードと前記アンテナ部との間で前記取引情報を通信して取引を実行するものである。
【発明の効果】
【００１３】
本発明のカード読取装置によれば、カード挿入口でシャッタより前側で、非接触式ＩＣカードとデータの通信が可能なアンテナ部を設け、挿入されるカードとデータの通信を行い、カードが非接触式ＩＣカードと判断されるとシャッタを開けるように制御しているので、磁気ストライプが無い非接触式ＩＣカードに対しても、カード挿入の検出が可能である。従って、カード以外の異物の挿入やいたずら防止が可能になる。
【００１４】
また、請求項４記載の本発明によれば、シャッタを開ける前に非接触式ＩＣカードに格納されている識別情報を読み取ることにより、取扱可能な正規のカードか否かを判断している。従って、物理的な情報（カードの有無や磁気ストライプの有無）で取扱可能なカードか否かを判断するのに比べて、確実に正規でないカードの挿入を防止することが出来る。
【００１５】
更に、請求項５記載の本発明によれば、非接触式ＩＣカードを装置内部へ取り込む前に、取引に必要な情報を読み取れるので、カード読取装置の内部に非接触式ＩＣカード用通信部を設ける必要がなくなり、カードを装置内部へと取り込む際の搬送距離を最小限に出来て、取引の処理速度も向上する。
【発明を実施するための最良の形態】
【００１６】
以下、本発明の実施の形態を図面に従って説明する。なお、本発明のカード読取装置が実装される自動取引装置の構成は従来と同様の構成である。図１は本発明の第１実施例のカード読取装置を示す図である。カード読取装置は、カード挿入／排出口１、カード以外の異物の挿入やいたずら防止及び装置内部と外部を遮断し防塵性を高めるために設けられているシャッタ２、カードの磁気ストライプのデータを読み取りまたは書き込みする磁気ヘッド３、非接触式ＩＣカードとデータを送受信する非接触式ＩＣカード用通信部４、図示せぬアクチュエータにより駆動しカードを搬送させる搬送ローラ５から構成されている。さらに本発明では、シャッタ２より前側に、非接触式ＩＣカードに設けられている図示せぬカード側送受信用アンテナ部に対して、データの送受信が可能な非接触式ＩＣカード送受信用アンテナ部６が設けられている。そして、非接触式ＩＣカード７がカード挿入／排出口１に挿入されたときは、カード側送受信用アンテナ部とデータの送受信を行うことで非接触式ＩＣカード７の挿入を検出することができる。また、本発明の実施形態では磁気ストライプ検出用の磁気ヘッド等のセンサは図示していないが併用しても良いことは言うまでもない。
【００１７】
図２は本発明の第１実施例の非接触式ＩＣカード挿入時のカード読取装置の制御を示すフローチャートである。本発明における非接触式ＩＣカード送受信用アンテナ部６はポーリング信号を送信している（ステップ１）。非接触式ＩＣカード７をカード挿入口１に挿入すると、非接触式ＩＣカード７に設けられているカード側送受信用アンテナ部がポーリング信号を受信する。すると、カード側送受信用アンテナ部が、非接触式ＩＣカード送受信用アンテナ部６に応答信号を送信する。非接触式ＩＣカード７から応答を受信すると（ステップ２）、シャッタ２を開ける（ステップ３）。その後、非接触式ＩＣカード７を装置内部へと取り込む（ステップ４）。
【００１８】
上述したように、第１実施例によれば非接触式ＩＣカードからの応答を検出してシャッタを開けるように制御しているので、磁気ストライプが無い非接触式ＩＣカードに対しても、カード挿入の検出が可能である。従って、カード以外の異物の挿入やいたずら防止が可能になる。
【００１９】
図３は本発明の第２実施例の非接触式ＩＣカード挿入時のカード読取装置の制御を示すフローチャートである。第２実施例のカード読取装置の構成は、第１実施例と同様の構成であるが、予め非接触式ＩＣカードと装置間で、取扱可能なカードである旨の識別情報（例えばＩＤデータ）を、非接触式ＩＣカード内に格納しておくものとする。
【００２０】
図３において、本発明における非接触式ＩＣカード送受信用アンテナ部６はポーリング信号を送信している（ステップ１１）。非接触式ＩＣカード７をカード挿入口１に挿入すると、非接触式ＩＣカード７に設けられているカード側送受信用アンテナ部がポーリング信号を受信する。すると、カード側送受信用アンテナ部が、非接触式ＩＣカード送受信用アンテナ部６に応答信号を送信する。非接触式ＩＣカード７から応答を受信すると（ステップ１２）、非接触式ＩＣカード７内に格納されている予め決められた識別情報の読み取りを行い（ステップ１３）、取扱可能なカードか否かを判断する（ステップ１４）。取扱可能なカードと判断されるとシャッタ２を開けて（ステップ１５）、非接触式ＩＣカード７を装置内部へと取り込む（ステップ１６）。
【００２１】
上述したように、本発明の第２実施例によれば、シャッタを開ける前に非接触式ＩＣカードに格納されている識別情報を読み取ることにより、取扱可能なカードか否かを判断することが出来る。従って、物理的な情報（カードの有無や磁気ストライプの有無）で取扱可能なカードか否かを判断するのに比べて、確実に正規でないカードの挿入を防止することが出来る。
【００２２】
図４は本発明の第３実施例のカード読取装置を示す図である。このカード読取装置は、カード挿入／排出口１１、カード以外の異物の挿入やいたずら防止及び装置内部と外部を遮断し防塵性を高めるために設けられているシャッタ１２、カードの磁気ストライプのデータを読み取りまたは書き込みする磁気ヘッド１３、図示せぬアクチュエータにより駆動しカードを搬送させる搬送ローラ１４から構成されている。また、シャッタ１２より前側に、非接触式ＩＣカード１５に設けられている図示せぬカード側送受信用アンテナ部に対して、データの送受信が可能な非接触式ＩＣカード送受信用アンテナ部１６が設けられている。なお、第１実施例のカード読取装置の構成に比べて、非接触式ＩＣカード用通信部を持たない構成となっている。
【００２３】
図５は本発明の第３実施例における自動取引装置の出金取引の一例を示すフローチャートである。顧客は、顧客操作部より取引科目「出金」を選択する（ステップ２１）。すると、顧客操作部は顧客に対しカード挿入の誘導を促し、顧客はカードを挿入する（ステップ２２）。ここで本発明は、カードの挿入と同時にＩＣカードに書き込まれているデータの読み取りを行う。取り扱い可能なカードと判断されると、顧客に暗証番号を入力させて（ステップ２３）、希望する出金金額を入力させる（ステップ２４）。次に、取引に必要な顧客情報を格納しているホストコンピュータと通信し、暗証番号、出金金額等のデータを通知し、取引可否の応答をホストコンピュータより受信する（ステップ２５）。取引可能と判断されると、出金金額相当の紙幣を計数し（ステップ２６）、レシート印字し（ステップ２７）、レシートを排出する（ステップ２８）。次にカードを顧客へと返却し（ステップ２９）、紙幣シャッタを開けることにより顧客が紙幣を受け取る状態にする（ステップ３０）。顧客が紙幣を受け取ったら紙幣シャッタを閉めて（ステップ３１）、取引を終了する。
【００２４】
図６は本発明の第３実施例の非接触式ＩＣカード挿入時のカード読取装置の制御を示すフローチャートである。本発明における非接触式ＩＣカード送受信用アンテナ部１６はポーリング信号を送信している（ステップ４１）。非接触式ＩＣカード１５をカード挿入口１１に挿入すると、非接触式ＩＣカード１５に設けられている図示せぬカード側送受信用アンテナ部がポーリング信号を受信する。すると、カード側送受信用アンテナ部が、非接触式ＩＣカード送受信用アンテナ部１６に応答信号を送信する。非接触式ＩＣカード１５から応答を受信すると（ステップ４２）、非接触式ＩＣカードに格納されている出金に必要なデータを読み取り（ステップ４３）、取扱可能なカードか否かを判断する（ステップ４４）。取扱可能なカードと判断されるとシャッタ１２を開けて（ステップ４５）、非接触式ＩＣカード１５を装置内部へと取り込む（ステップ４６）。それ以降、ステップ４３で読み取った出金取引に必要なデータを利用して取引を継続する。なお、非接触式ＩＣカードは、データを瞬時に読み取れるので、非接触式ＩＣカードの挿入動作と平行して取引に必要なデータを読み取ることが可能である。
【００２５】
上述したように第３実施例のカード読取装置によれば、非接触式ＩＣカードを装置内部へ取り込む前に、取引に必要なデータを読み取れるので、カード読取装置の内部に非接触式ＩＣカード用通信部を設ける必要がなくなり、カードを装置内部へと取り込む際の搬送距離を最小限に出来て、取引の処理速度も向上する。また、第３実施例では非接触式ＩＣカードのデータの読み取りをシャッタを開ける前に行っているが、データの更新についても、カード返却時に非接触式ＩＣカードがシャッタから出てきた時点を行うことも可能である。
【００２６】
なお、上述したカード読取装置の構成であれば、非接触式ＩＣカードをわざわざ装置内部に取り込む必要は無いと考えることも出来るが、以下の理由から取引中はカードを装置内部に留めておく必要がある。例えば、顧客が出金取引を選択して出金金額を入力した後に途中で取引をキャンセルしたくなった場合、非接触式ＩＣカードが装置に取り込まれず顧客本人の手元に有るため、顧客は自動取引装置が出金動作しているにも係らず不用意に自動取引装置から立ち去ってしまうケースも考えられる。よって、取引中はカードを装置内部に留めておいて、顧客が取引動作の途中で不用意に自動取引装置から立ち去ってしまうことを防止している。
【図面の簡単な説明】
【００２７】
【図１】本発明の第１実施例のカード読取装置を示す図
【図２】第１実施例の非接触式ＩＣカード挿入時のカード読取装置の制御を示すフローチャート
【図３】第２実施例の非接触式ＩＣカード挿入時のカード読取装置の制御を示すフローチャート
【図４】第３実施例のカード読取装置を示す図
【図５】自動取引装置の出金取引の一例を示すフローチャート
【図６】第３実施例の非接触式ＩＣカード挿入時のカード読取装置の制御を示すフローチャート
【図７】従来の自動取引装置の構成を示す図
【図８】従来の磁気カードと非接触式ＩＣカードを取扱可能なカード読取装置を示す図
【図９】従来の自動取引装置の出金取引の一例を示すフローチャート
【図１０】従来のカード挿入時のカード読取装置の制御を示すフローチャート
【符号の説明】
【００２８】
１：カード挿入／排出口
２：シャッタ
３：磁気ヘッド
４：非接触式ＩＣカード用通信部
５：搬送ローラ
６：非接触式ＩＣカード送受信用アンテナ部
７：非接触式ＩＣカード
【図１】
2007226340.tif 000003
【図２】
2007226340.tif 000004
【図３】
2007226340.tif 000005
【図４】
2007226340.tif 000006
【図５】
2007226340.tif 000007
【図６】
2007226340.tif 000008
【図７】
2007226340.tif 000009
【図８】
2007226340.tif 000010
【図９】
2007226340.tif 000011
【図１０】
2007226340.tif 000012